(57)【要約】【課題】ユーザーのテレビ視聴を妨げずにユーザーにバッテリーの残量が少なくなった場合の動作を選択させることが可能な携帯電話等を提供すること。【解決手段】携帯電話１００が、画面の全表示領域を示す情報と、テレビ画像の表示領域を示す情報とに基づき、前記全表示領域に前記テレビ画像の表示領域以外の表示可能領域があるかどうかを判定する領域判定部１１０と、バッテリー１８０の電力量が第１の所定値以下になったかどうかを判定する残量判定部１７０と、前記残量が前記第１の所定値以下になった場合に、前記表示可能領域がある場合にはテレビの視聴を継続するかどうかの選択をユーザーに促す選択画像を前記表示可能領域に配置した画像を生成し、前記表示可能領域がない場合には前記選択画像を前記テレビ画像に重ねた画像を生成する画像生成部１３０と、画像生成部１３０によって生成された画像を前記画面に表示する表示部１４０とを含んで構成される。【選択図】図１
2008148065.tif 000002
【特許請求の範囲】
【請求項１】
画面の全表示領域を示す情報と、テレビ画像の表示領域を示す情報とに基づき、前記全表示領域に前記テレビ画像の表示領域以外の表示可能領域があるかどうかを判定する領域判定部と、
バッテリーの残量が第１の所定値以下になったかどうかを判定する残量判定部と、
前記残量が前記第１の所定値以下になった場合に、前記表示可能領域がある場合にはテレビの視聴を継続するかどうかの選択をユーザーに促す選択画像を前記表示可能領域に配置した画像を生成し、前記表示可能領域がない場合には前記選択画像を前記テレビ画像に重ねた画像を生成する画像生成部と、
当該画像生成部によって生成された画像を前記画面に表示する表示部と、
を含むことを特徴とする携帯電話。
【請求項２】
請求項１に記載の携帯電話において、
通話機能を有する通話部と、
制御部と、
を含み、
前記制御部は、前記テレビの視聴を継続する選択が行われた場合、前記通話部を制御することにより前記通話機能を無効にすることを特徴とする携帯電話。
【請求項３】
請求項２に記載の携帯電話において、
テレビ放送の受信機能を有するチューナー部を含み、
前記残量判定部は、前記残量が必要最低限の通話が可能な第２の所定値以下になったかどうかを判定し、
前記制御部は、前記残量が前記第２の所定値以下になった場合、前記チューナー部を制御することにより前記受信機能を無効にするとともに、前記通話部を制御することにより前記通話機能を有効にすることを特徴とする携帯電話。
【請求項４】
携帯電話の有するコンピュータを、
前記携帯電話の画面の全表示領域を示す情報と、テレビ画像の表示領域を示す情報とに基づき、前記全表示領域に前記テレビ画像の表示領域以外の表示可能領域があるかどうかを判定する領域判定部と、
前記携帯電話のバッテリーの残量が第１の所定値以下になったかどうかを判定する残量判定部と、
前記残量が前記第１の所定値以下になった場合に、前記表示可能領域がある場合にはテレビの視聴を継続するかどうかの選択をユーザーに促す選択画像を前記表示可能領域に配置した画像を生成し、前記表示可能領域がない場合には前記選択画像を前記テレビ画像に重ねた画像を生成する画像生成部と、
当該画像生成部によって生成された画像を前記画面に表示する表示制御部として機能させることを特徴とするプログラム。
【請求項５】
携帯電話の有するコンピュータにより読み取り可能なプログラムを記憶した情報記憶媒体であって、
請求項４に記載のプログラムを記憶した情報記憶媒体。
【発明の詳細な説明】
【技術分野】
【０００１】
本発明は、テレビ放送の受信機能を有する携帯電話、プログラムおよび情報記憶媒体に関する。
【背景技術】
【０００２】
テレビ放送の受信機能を有する携帯電話においては、テレビ視聴時の消費電力の大きさが問題になる。テレビ視聴中の消費電力が大きい場合、バッテリー駆動が前提である携帯電話では、待ち受け可能時間や通話可能時間が短くなるという問題が発生する。
【０００３】
テレビ視聴中の消費電力を低減させる手法としては、例えば、テレビ視聴中は携帯電話のテレビ視聴機能（画像表示および音声出力を含む）以外の機能を停止する手法が考えられる。しかし、この手法の場合、携帯電話の本来の機能である通話機能がテレビ視聴中には全く使用できなくなってしまう。
【０００４】
例えば、無線通信機能を停止させた場合には、携帯電話が、携帯電話の電源が入っていない状態または携帯電話が電波の届かない場所にある状態と同様の状態になってしまう。このような状態における携帯電話に対して通話を行おうとしてもつながらず、発信者側に対して通話不能のアナウンスがなされる。
【０００５】
このような問題を解決する手段として、バッテリー残量によってテレビ視聴時の無線通信部の動作モードを切替えることができる機能を有する携帯電話が提案されている。例えば、特開２００５−６５１２９号公報では、テレビ視聴時にバッテリー残量が十分ある場合には、待ち受け状態のままテレビ視聴中も無線通信部が機能し続け、音声着信応答およびメール受信等が可能となるようにしたものである。
【０００６】
しかし、このようにバッテリー残量によって強制的に動作モードを切替える手法の場合、ユーザーの意思が反映されない。このような問題を解決する手法として、例えば、特開２００６−５０５５５号公報では、初期設定に応じて電池残量が所定量以下になった場合の記録指示を制御することが提案されている。
【特許文献１】特開２００５−６５１２９号公報
【特許文献２】特開２００６−５０５５５号公報
【発明の開示】
【発明が解決しようとする課題】
【０００７】
しかし、特開２００６−５０５５５号公報の手法のように、初期設定で動作を規定してしまう手法の場合、ユーザーは、テレビ視聴時の状況に応じてテレビ視聴を継続するかテレビ視聴を終了するかを決定することができず、ユーザーの使い勝手がよくない。特に、携帯電話の場合、画面の表示領域が狭いため、ユーザーのテレビ視聴を妨げずにユーザーにバッテリーの残量が少なくなった場合の動作を選択させることが重要となる。
【０００８】
本発明の目的は、ユーザーのテレビ視聴を妨げずにユーザーにバッテリーの残量が少なくなった場合の動作を選択させることが可能な携帯電話、プログラムおよび情報記憶媒体を提供することにある。
【課題を解決するための手段】
【０００９】
上記課題を解決するため、本発明に係る携帯電話は、画面の全表示領域を示す情報と、テレビ画像の表示領域を示す情報とに基づき、前記全表示領域に前記テレビ画像の表示領域以外の表示可能領域があるかどうかを判定する領域判定部と、バッテリーの残量が第１の所定値以下になったかどうかを判定する残量判定部と、前記残量が前記第１の所定値以下になった場合に、前記表示可能領域がある場合にはテレビの視聴を継続するかどうかの選択をユーザーに促す選択画像を前記表示可能領域に配置した画像を生成し、前記表示可能領域がない場合には前記選択画像を前記テレビ画像に重ねた画像を生成する画像生成部と、当該画像生成部によって生成された画像を前記画面に表示する表示部と、を含むことを特徴とする。
【００１０】
また、本発明に係るプログラムは、携帯電話の有するコンピュータを、前記携帯電話の画面の全表示領域を示す情報と、テレビ画像の表示領域を示す情報とに基づき、前記全表示領域に前記テレビ画像の表示領域以外の表示可能領域があるかどうかを判定する領域判定部と、前記携帯電話のバッテリーの残量が第１の所定値以下になったかどうかを判定する残量判定部と、前記残量が前記第１の所定値以下になった場合に、前記表示可能領域がある場合にはテレビの視聴を継続するかどうかの選択をユーザーに促す選択画像を前記表示可能領域に配置した画像を生成し、前記表示可能領域がない場合には前記選択画像を前記テレビ画像に重ねた画像を生成する画像生成部と、当該画像生成部によって生成された画像を前記画面に表示する表示制御部として機能させることを特徴とする。
【００１１】
また、本発明に係る情報記憶媒体は、携帯電話の有するコンピュータにより読み取り可能なプログラムを記憶した情報記憶媒体であって、上記プログラムを記憶したことを特徴とする。
【００１２】
本発明によれば、携帯電話は、表示可能領域がある場合には表示可能領域に選択画像を表示することにより、ユーザーのテレビ視聴を妨げずにユーザーにバッテリーの残量が少なくなった場合の動作を選択させることができる。また、携帯電話は、表示可能領域がない場合であっても、テレビ画像に重ねて選択画像を表示することにより、テレビ画像の視聴を中断しないで済むため、ユーザーのテレビ視聴を妨げずにユーザーにバッテリーの残量が少なくなった場合の動作を選択させることができる。
【００１３】
また、前記携帯電話は、通話機能を有する通話部と、制御部と、を含み、前記制御部は、前記テレビの視聴を継続する選択が行われた場合、前記通話部を制御することにより前記通話機能を無効にしてもよい。
【００１４】
これによれば、携帯電話は、テレビ視聴が選択された場合に通話機能を無効にすることにより、ユーザーは、より長い時間テレビを視聴することができる上、視聴中に通話による割り込みが発生しないため、快適にテレビを視聴することができる。
【００１５】
また、前記携帯電話は、テレビ放送の受信機能を有するチューナー部を含み、前記残量判定部は、前記残量が必要最低限の通話が可能な第２の所定値以下になったかどうかを判定し、前記制御部は、前記残量が前記第２の所定値以下になった場合、前記チューナー部を制御することにより前記受信機能を無効にするとともに、前記通話部を制御することにより前記通話機能を有効にしてもよい。
【００１６】
これによれば、携帯電話は、バッテリーの残量が少なくなった場合であっても、必要最低限の通話（例えば、通話一回分）が可能なバッテリー量を残すことができるため、緊急時の連絡を受けたり、録画の依頼を行ったりすることができる。
【発明を実施するための最良の形態】
【００１７】
以下、本発明を携帯電話に適用した場合を例に採り、図面を参照しつつ説明する。なお、以下に示す実施例は、特許請求の範囲に記載された発明の内容を何ら限定するものではない。また、以下の実施例に示す構成のすべてが、特許請求の範囲に記載された発明の解決手段として必須であるとは限らない。
【００１８】
図１は、本実施例における携帯電話１００の機能ブロック図である。携帯電話１００は、テレビ放送の受信機能を有するチューナー部１０８と、画面の全表示領域を示す情報と、テレビ画像の表示領域を示す情報とに基づき、全表示領域にテレビ画像の表示領域以外の表示可能領域があるかどうかを判定する領域判定部１１０と、種々のデータを記憶する記憶部１２０と、選択画像、テレビ画像等を生成する画像生成部１３０と、テレビ画像等を表示する表示部１４０と、テレビ音声等を生成する音声生成部１５０と、テレビ音声等を出力する音声出力部１６０とを含んで構成されている。
【００１９】
また、携帯電話１００は、バッテリー１８０と、バッテリー１８０の残量に関する判定を行う残量判定部１７０と、種々の制御を行う制御部１９０と、通話機能を有する通話部１９２とを含んで構成されている。なお、ここで、残量は、バッテリー１８０の残りの電力量（Ｗｈ）またはバッテリーの残りの容量（電圧、Ｖ）を示す。
【００２０】
また、記憶部１２０は、表示部１４０の画面の全表示領域（例えば、解像度等）を示す解像度データ１２２、選択画像等を生成するための画像データ１２４、チューナー部１０８によって受信された受信データ１２６等を記憶している。
【００２１】
なお、これらの各部は、例えば、以下のハードウェアを用いて携帯電話１００に実装されてもよい。例えば、チューナー部１０８としてはいわゆるワンセグ放送の受信チューナー等、領域判定部１１０、残量判定部１７０、制御部１９０としてはＣＰＵ等、記憶部１２０としてはＲＡＭ等、画像生成部１３０としては画像処理回路等、表示部１４０としては液晶パネル等、音声生成部１５０としては音声処理回路等、音声出力部１６０としてはスピーカー等、通話部１９２としては音声処理回路、マイク、スピーカー等の一般的な通話ユニット等が用いられてもよい。
【００２２】
また、携帯電話１００は、これらの各部としてコンピュータを機能させるためのプログラムを記憶した情報記憶媒体２００からプログラムを読み取って各部の機能を実装してもよい。このような情報記憶媒体２００としては、例えば、ＣＤ−ＲＯＭ、ＤＶＤ−ＲＯＭ、ＩＣカード、ＲＯＭ、ＲＡＭ、メモリカード、ＨＤＤ等のレーザーや磁気等を用いた記憶媒体を適用できる。また、情報記憶媒体２００からのプログラムの読み取り方式は、接触式でも非接触式でもよい。
【００２３】
次に、これらの各部を用いた処理の流れについて説明する。図２は、本実施例におけるバッテリー１８０の残量が少なくなった場合の処理の流れを示すフローチャートである。また、図３は、本実施例におけるバッテリー１８０の残量と使用機能との関係を示す図である。また、図４は、本実施例における初期状態の選択画像３００を示す図である。
【００２４】
まず、ユーザーは、携帯電話１００の画面に表示される選択画像３００で、テレビの視聴を行うテレビモードか通話のみを行う通常モードかを選択する。例えば、図３に示すように、ユーザーがテレビを視聴し続けた場合の携帯電話１００の稼働時間は４時間程度であるが、ユーザーが電話のみを使用し続けた場合の携帯電話１００の稼働時間は２４時間程度である。このように、使用する機能によって携帯電話１００の消費電力は大きく相違する。
【００２５】
テレビモードが選択された場合、チューナー部１０８は、テレビ放送を受信して受信データ１２６として記憶部１２０に記憶し、画像生成部１３０は、受信データ１２６に基づいてテレビ画像を生成し、表示部１４０は、当該テレビ画像を表示し、音声生成部１５０は、受信データ１２６に基づいてテレビ音声を生成し、音声出力部１６０は、当該テレビ音声を出力する。これにより、ユーザーは、携帯電話１００を用いてテレビを視聴することができる。
【００２６】
次に、バッテリー１８０の残量が少なくなった場合の処理の流れについて、図２に示すフローチャートを基に説明する。残量判定部１７０は、現在のモードがテレビモードかどうか、すなわち、テレビを視聴中かどうかを判定し（ステップＳ１）、テレビモードの場合はバッテリー１８０の残量が必要最低値（第２の所定値）以下かどうかを判定する（ステップＳ２）。
【００２７】
なお、ここで、必要最低値とは、例えば、１回の通話が可能なバッテリー１８０の残量を示す。必要最低値は携帯電話１００の機種によって相違する。例えば、１回の通話を３分と仮定し、携帯電話１００の満充電時の連続通話可能時間が約１５０分である場合、バッテリー１８０の満充電時残量の５０分の１が必要最低値になる。しかし、実際には、通話時にはキー操作等も行われ、消費電力量は変動するため、バッテリー１８０の満充電時残量の５０分の１〜１０分の１が必要最低値であってもよい。
【００２８】
バッテリー１８０の残量が必要最低値以下である場合、制御部１９０は、チューナー部１０８を制御してテレビ放送の受信を停止させるとともに、通話部１９２を制御して通話機能を有効にすることにより、通常モードに変更する（ステップＳ３）。
【００２９】
これにより、バッテリー１８０の残量が少なくなった場合でも、ユーザーは、通話部１９２を用いた通話を行うことが可能になる。
【００３０】
一方、バッテリー１８０の残量が必要最低値より多い場合、残量判定部１７０は、バッテリー１８０の残量が所定値（第１の所定値）以下かどうかを判定する（ステップＳ４）。
【００３１】
なお、ここで、所定値としては、例えば、３０分のテレビ視聴が可能な残量を示す。所定値は携帯電話１００の機種によって相違する。例えば、携帯電話１００の満充電時の連続テレビ視聴可能時間が約４時間である場合、バッテリー１８０の満充電時残量の８分の１が必要最低値になる。しかし、実際には、テレビ視聴時にはチャンネルの変更操作等も行われ、消費電力量は変動するため、バッテリー１８０の満充電時残量の１０分の１〜５分の１が所定値であってもよい。
【００３２】
バッテリー１８０の残量が所定値以下の場合、領域判定部１１０は、解像度データ１２２と、テレビ画像の表示領域を示す情報に基づき、全表示領域にテレビ画像の表示領域以外の表示可能領域があるかどうかを判定する（ステップＳ５）。なお、本実施例では、テレビ画像の表示領域はワンセグ放送相当の１８０×３２０画素であって固定であるものとする。例えば、表示部１４０の画面の全表示領域が２４０×３２０画素である場合、上下合わせて６０×３２０画素分の表示可能領域が存在することになる。
【００３３】
表示可能領域がある場合、画像生成部１３０は、画像データ１２４に基づき、表示可能領域に選択画像を配置した画像を生成する（ステップＳ６）。図５は、本実施例におけるバッテリー１８０の残量が少なくなった場合であって、かつ、表示可能領域がある場合の選択画像を含む画像３０２を示す図である。
【００３４】
例えば、図５では、画面の上部３０×３２０画素分の表示可能領域に「バッテリーが残り少なくなりました。モードを選択してください。」という文字列を示す選択画像が表示され、画面の下部３０×３２０画素分の表示可能領域に「テレビモード」、「通常モード」という選択肢を示す選択画像が表示されている。
【００３５】
制御部１９０は、ユーザーの操作情報に基づき、通常モードが選択されてテレビ視聴終了指示が行われたかどうかを判定し（ステップＳ７）、テレビ視聴終了指示が行われた場合はチューナー部１０８を制御してテレビ放送の受信を停止させるとともに、通話部１９２を制御して通話機能を有効にすることにより、通常モードに変更する（ステップＳ３）。
【００３６】
一方、表示可能領域がない場合、画像生成部１３０は、画像データ１２４に基づき、選択画像をテレビ画像に重ねた画像を生成する（ステップＳ８）。図６は、本実施例におけるバッテリー１８０の残量が少なくなった場合であって、かつ、表示可能領域がない場合の選択画像を含む画像３０４を示す図である。
【００３７】
例えば、表示部１４０の画面の全表示領域が１８０×３２０画素である場合、テレビ画像は画面の全領域を使って表示される。このような場合、上述した文字列や選択肢を示す選択画像はテレビ画像に重ねて表示される。なお、図６に示す例では、文字列や選択肢の背景は非透過状態になっているが、半透過状態で表示されてもよい。
【００３８】
携帯電話１００は、終了状態（例えば、携帯電話１００の電源がオフにされた状態、バッテリー１８０の電圧が使用可能電圧以下になった状態等）になったかどうかを判定し（ステップＳ９）、終了状態になっていない場合は以上の処理（ステップＳ１〜Ｓ８）を継続し、終了状態になった場合は当該処理を終了する。
【００３９】
以上のように、本実施例によれば、携帯電話１００は、表示可能領域がある場合には表示可能領域に選択画像を表示することにより、ユーザーのテレビ視聴を妨げずにユーザーにバッテリーの残量が少なくなった場合の動作を選択させることができる。また、携帯電話１００は、表示可能領域がない場合であっても、テレビ画像に重ねて選択画像を表示することにより、テレビ画像の視聴を中断しないで済むため、ユーザーのテレビ視聴を妨げずにユーザーにバッテリーの残量が少なくなった場合の動作を選択させることができる。
【００４０】
また、本実施例によれば、携帯電話１００は、バッテリー１８０の残量が必要最低値以下になった場合、テレビ放送の受信機能を無効にするとともに、通話機能を有効にすることにより、バッテリー１８０の残量が少なくなった場合であっても、必要最低限の通話が可能な残量を残すことができるため、緊急時の連絡を受けたり、録画の依頼を行ったりすることができる。
【００４１】
また、本実施例によれば、携帯電話１００は、バッテリー１８０の残量が少なくなった時点で当該時点におけるユーザーの意思を反映した機能（テレビ視聴機能または通話機能）を実行することができる。
【００４２】
なお、本発明の適用は上述した実施例に限定されず、種々の変形が可能である。例えば、制御部１９０は、テレビの視聴を開始する選択またはテレビの視聴を継続する選択が行われた場合、通話部１９２を制御することにより通話機能を無効にしてもよい。
【００４３】
これによれば、携帯電話１００は、テレビ視聴が選択された場合に通話機能を無効にすることにより、ユーザーは、より長い時間テレビを視聴することができる上、視聴中に通話による割り込みが発生しないため、快適にテレビを視聴することができる。
【００４４】
また、テレビ画像の表示領域が可変である場合、領域判定部１１０は、受信データ１２６に基づいてテレビ画像の表示領域を判定してもよい。
【００４５】
また、上述した実施例では、制御部１９０は、テレビ視聴機能と通話機能だけを制御したが、例えば、電子メール送受信機能、ＷＥＢ閲覧機能等の携帯電話の有する種々の機能をバッテリー１８０の残量に応じて制御してもよい。
【図面の簡単な説明】
【００４６】
【図１】本実施例における携帯電話の機能ブロック図である。
【図２】本実施例におけるバッテリーの残量が少なくなった場合の処理の流れを示すフローチャートである。
【図３】本実施例におけるバッテリーの残量と使用機能との関係を示す図である。
【図４】本実施例における初期状態の選択画像を示す図である。
【図５】本実施例におけるバッテリーの残量が少なくなった場合であって、かつ、表示可能領域がある場合の選択画像を含む画像を示す図である。
【図６】本実施例におけるバッテリーの残量が少なくなった場合であって、かつ、表示可能領域がない場合の選択画像を含む画像を示す図である。
【符号の説明】
【００４７】
１０８  チューナー部、１１０  領域判定部、１２０  記憶部、１２２  解像度データ、１２４  画像データ、１２６  受信データ、１３０  画像生成部、１４０  表示部、１５０  音声生成部、１６０  音声出力部、１７０  残量判定部、１８０  バッテリー、１９０  制御部、１９２  通話部、２００  情報記憶媒体、３００  選択画像、３０２、３０４  画像
【図１】
2008148065.tif 000003
【図２】
2008148065.tif 000004
【図３】
2008148065.tif 000005
【図４】
2008148065.tif 000006
【図５】
2008148065.tif 000007
【図６】
2008148065.tif 000008